(57)【要約】【課題】バルーンを使用することなく、発光球からの光線を散乱させ、比較的広角度で且つ軟調の光線となるようにする。【解決手段】発光球と、当該発光球の背面に設けられた反射板と、前記発光球の側面を囲繞するフードからなり、前記フードは半透明である照明装置。【選択図】図１
2004342570.tif 000002
【特許請求の範囲】
【請求項１】
発光球と、当該発光球の背面に設けられた反射板と、前記発光球の側面を囲繞するフードからなり、前記フードは半透明である照明装置。
【請求項２】
反射板に、フードの一端縁が装着されている請求項１記載の照明装置。
【請求項３】
発光球の外部であって反射板と対向する部位に、開口が形成されている半透明のフィルタが装着されている請求項１もしくは請求項２記載の照明装置。
【請求項４】
フィルタの、発光球と対向する面には光反射手段が施されている請求項３記載の照明装置。
【請求項５】
フードの他端縁に、フィルタが装着されている請求項１ないし請求項４のいずれかに記載の照明装置。
【請求項６】
フィルタは、中央に開口が設けられた円板状を呈している請求項３ないし請求項５記載の照明装置。
【請求項７】
フィルタは、外方に突出し中央に開口が設けられた円錐台状を呈している請求項３ないし請求項５記載の照明装置。
【請求項８】
フードは、反射板に着脱可能に装着されている請求項１ないし請求項７のいずれかに記載の照明装置。
【請求項９】
フィルタは、フードに固着されている請求項３ないし請求項８のいずれかに記載の照明装置。
【請求項１０】
フィルタは、フードに着脱可能に装着されている請求項３ないし請求項８のいずれかに記載の照明装置。
【請求項１１】
発光球と、当該発光球の背面側に設けられた主反射板と、前記発光球の正面側に設けられ、前記主反射板と対向する側に反射面が形成されている副反射板が設けられている照明装置。
【請求項１２】
副反射板は、環状で且つ外方に拡開する円錐台状を呈し、その外面に反射面が形成されている請求項１１記載の照明装置。
【請求項１３】
副反射板は複数枚が積層されている請求項１１もしくは請求項１２に記載の照明装置。
【請求項１４】
複数枚の副反射板は夫々大きさが異なり、外部に向かって順次大型化する請求項１３記載の照明装置。
【請求項１５】
各副反射板の間に光線が通過し得る空隙が設けられている請求項１４記載の照明装置。
【請求項１６】
副反射板は、発光球の周囲に沿って複数の部分に分割されている請求項１１ないし請求項１５のいずれかに記載の照明装置。
【請求項１７】
反射板に空気が通過し得る通風孔が開設されている請求項１ないし請求項１６のいずれかに記載の照明装置。
【請求項１８】
発光球は、反射板の中央に着脱可能に装着されている取付板に固着され、前記発光球は前記取付板と共に前記反射板の背面側から着脱可能に装着されている請求項１ないし請求項１７のいずれかに記載の照明装置。
【発明の詳細な説明】
【０００１】
【発明の属する技術分野】
本発明は、比較的広角度で且つ軟調の光線を照射することの可能な主として屋外で使用される照明装置に関するものである。
【０００２】
【従来の技術】
従来、道路工事現場等の屋外で使用される照明装置としては、背面側に反射板が備えられた水銀灯のような強力なものが周知であったが、かかる照明装置は照度が高いものの、照明範囲が比較的狭小で且つ強力な光線を人の目に照射する虞れのあることから、人体にあまりよい影響を与えないことが知られており、かかる課題を解決するために、例えば、特開平１０−１８８６２２号公報、特開平２００３−３６７０９号公報等に記載されている装置が提案されている。
【０００３】
例えば、特開平１０−１８８６２２号公報、特開平２００３−３６７０９号公報等に記載されている照明装置では、空気やガスが封止されている半透明の軟質の生地にてなる球形のバルーンの内部に発光球が封入されており、比較的広い範囲に、半透明のバルーンの生地を通過してきた軟質の光線を照射することが可能となる。
【０００４】
【発明が解決しようとする課題】
前述のように、従来の装置では、比較的広い範囲に軟質の光線を照射することが可能となるものの、発光球は、空気やガスが封止されている半透明の軟質の生地にてなる球形のバルーンの内部に封入されており、装置が複雑となると共に、破損しやすく、高価格化は否めなかった。
【０００５】
本発明はかかる従来の技術の課題に鑑みてなされたもので、安価で破損し難くかつ広範囲に人体に障害の与えない光線を照射することの可能な照明装置を実現せんとするもとである。
【０００６】
【課題を解決するための手段】
第１の発明は、発光球と、当該発光球の背面に設けられた反射板と、前記発光球の側面を囲繞するフードとからなり、前記フードは半透明である照明装置である。
【０００７】
本発明では、発光球から放射された光線は、反射板で反射されもしくは直接フードに照射されるが、前記フードは半透明であるため、当該フードを通過した光線は散乱し軟調となって広範囲に照射されることになる。
【０００８】
第２の発明は、前記第１の発明を前提とし、反射板にフードの一端縁が装着されている照明装置である。
【０００９】
本発明では、反射板にフードの一端縁が装着されているので、反射板とフードが一体的に構成されることになる。
【００１０】
第３の発明は、前記第１の発明もしくは第２の発明を前提とし、発光球の外部であって反射板と対向する部位に、開口が形成されている半透明のフィルタが装着されている照明装置である。
【００１１】
本発明では、開口が形成されている半透明のフィルタが装着されているので、発光球から放射された光線は、反射板で反射され、もしくは直接フードに照射され、更に半透明のフィルタを透過するが、前記フィルタも半透明であるため、当該フィルタを透過した光線は散乱し、軟調となって広範囲に照射されることになる。
【００１２】
なお、開口からも光線の一部が所望の範囲に照射されることになる。
【００１３】
第４の発明は、前記第３の発明を前提とし、フィルタの、発光球と対向する面には光反射手段が施されている照明装置である。
【００１４】
本発明では、フィルタの、発光球と対向する面に光反射手段が施されているので、当該フィルタの内面でも一部光線が反射し、発光球から放射された光線はより複雑に乱反射し散乱の程度が高まることになる。
【００１５】
第５の発明は、第１ないし第４のいずれかの発明を前提とし、フードの他端縁に、フィルタが装着されている照明装置である。
【００１６】
本発明では、フードの他端縁にフィルタが装着されているので、フードとフィルタが一体となった構成となる。
【００１７】
第６の発明は、第３ないし第５のいずれかの発明を前提とし、フィルタは、中央に開口が設けられた円板状を呈している照明装置である。
【００１８】
本発明では、フィルタの中央に開口が形成されているので、発光球の支持部材を前記開口内に挿入することが可能となる。
【００１９】
第７の発明は、第３ないし第５のいずれかの発明を前提とし、フィルタは、外方に突出し中央に開口が設けられた円錐台状を呈している照明装置である。
【００２０】
本発明では、フィルタは、外方に突出した円錐台状を呈しているので、当該フィルタを透過した光線はより一層外方に散乱することになる。
【００２１】
第８の発明は、第１ないし第７のいずれかの発明を前提とし、フードは、反射板に着脱可能に装着されている照明装置である。
【００２２】
本発明では、フードは、反射板に着脱可能に装着されているので、必要に応じてフードを反射板に装着することが可能となる。
【００２３】
第９の発明は、第３ないし第８のいずれかの発明を前提とし、フィルタは、フードに固着されている照明装置である。
【００２４】
本発明では、フィルタは、フードに固着されているので、フィルタとフードを一体的に取り扱うことが可能となる。
【００２５】
第１０発明は、第３ないし第８のいずれかの発明を前提とし、フィルタは、フードに着脱可能に装着されている照明装置である。
【００２６】
本発明では、フィルタは、フードに着脱可能に装着されているので、必要に応じてフィルタをフードに装着することが可能となる。
【００２７】
第１１の発明は、発光球と、当該発光球の背面側に設けられた主反射板と、前記発光球の正面側に設けられ、前記主反射板と対向する側に反射面が形成されている副反射板が設けられている照明装置である。
【００２８】
本発明では、主反射板と対向する側に反射面が形成されている副反射板が設けられているので、発光球から放射された光線は直接もしくは主反射板にて一次反射され、その後副反射板にて再度反射され広範囲に照射されることになる。
【００２９】
第１２の発明は、第１１の発明を前提とし、副反射板は、環状で且つ外方に拡開する円錐台状を呈しており、その外面に反射面が形成されている照明装置である。
【００３０】
本発明では、副反射板は外方に拡開する円錐台状を呈しているので、当該副反射板にて反射された光線はより外方に拡散することになる。
【００３１】
第１３の発明は、第１１もしくは第１２の発明を前提とし、副反射板は複数枚が積層されている照明装置である。
【００３２】
本発明では、副反射板は複数枚が積層されているので、光線は各副反射板にて複雑に反射され広範囲に照射されることになる。
【００３３】
第１４の発明は、第１３の発明を前提とし、複数枚の副反射板は夫々大きさが異なり、外部に向かって順次大型化する照明装置である。
【００３４】
本発明では、複数枚の副反射板は夫々大きさが異なり、外部に向かって順次大型化するので、発光球から直接放射された光線もしくは主反射板にて一次反射された光線は、副反射板にて確実に再度反射され広範囲に照射されることになる。
【００３５】
第１５の発明は、第１４の発明を前提とし、各副反射板の間に光線が通過し得る空隙が設けられている照明装置である。
【００３６】
本発明では、各副反射板の間に光線が通過し得る空隙が設けられているので、発光球から直接放射された光線もしくは主反射板にて一次反射された光線は、一部が副反射板にて反射され残部は前記空隙を通過して直接外部に照射されることになる。
【００３７】
第１６の発明は、第１１ないし第１４のいずれかの発明を前提とし、副反射板は、発光球の周囲に沿って複数の部分に分割されている照明装置である。
【００３８】
本発明では、副反射板は、発光球の周囲に沿って複数の部分に分割されているので、各分割部分の角度等を変えることにより、当該副反射板にて反射される光線を様々な方向に変化させることができる。
【００３９】
第１７の発明は、第１ないし第１６のいずれかの発明を前提とし、反射板に空気が通過し得る通風孔が開設されている照明装置である。
【００４０】
本発明では、反射板に空気が通過し得る通風孔が開設されているので、発光球が過熱しても、前記通風孔を通過する気流によって冷却される。
【００４１】
第１８の発明は、第１ないし第１７のいずれかの発明を前提とし、発光球は反射板の中央に着脱可能に装着されている取付板に固着され、前記発光球は前記取付板と共に前記反射板の背面側から着脱可能に装着されている照明装置である。
【００４２】
本発明では、発光球は反射板の中央に着脱可能に装着されている取付板に固着され、前記発光球は前記取付板と共に前記反射板の背面側から着脱可能に装着されているので、発光球の交換を反射板の背面側から行うことができる。
【００４３】
【発明の実施の形態】
図面はいずれも本発明の実施の形態を示し、図１は第１の実施の形態の縦断面図、図２は第２の実施の形態の縦断面、図３はフードとフィルタの斜視図、図４はフードとフィルタの図３とは異なる実施の形態の斜視図、図５は他の実施の形態の断面図、図６は副反射板の平面図そして図７は副反射板の図６とは異なる実施の形態の平面図である。
【００４４】
図１において、１は内面が放物面を有する主反射板で、その焦点位置に水銀灯やハロゲンランプにてなる発光球２の上端部が固着されており、前記発光球２の下端部には、地上等に立設するための支持軸３が固着されている。
【００４５】
前記主反射板１の縁部には、半透明の合成樹脂で形成されている円筒形のフード４の上端縁部が固着されている。
【００４６】
また、前記主反射板１の、前記発光球２の装着位置の周囲に、空気が通過し得る通風孔１１が開設されており、過熱した発光球２は前記通風孔１１を通過する気流によって冷却されることになる。
【００４７】
なお、前記フード４は主反射板１に着脱可能に装着されていてもよい。
【００４８】
そして前記フード４の下端縁部に、これも半透明の合成樹脂で形成されており円板状で中央に開口５が開設されているフィルタ６が固着されている。
【００４９】
なお、前記フィルタ６も前記フード４に着脱可能に装着されていてもよい。
【００５０】
この実施の形態では、発光球２から放射された直射光線は、一部が主反射板１で反射されてフィルタ６やフード４を透過して軟質の散乱光（図中、波線で表示している）となって所望の範囲に照射され、他の一部は直接フィルタ６やフード４を透過してやはりこれも軟質の散乱光となって所望の範囲に照射される。
【００５１】
また、更に他の一部の光線は、少量ではあるが、発光球２から直接もしくは主反射板１で反射されて前記開口５を通過して外部に直接照射される。
【００５２】
なお、必要に応じて前記フィルタ６は装着せずに使用することも可能である。
【００５３】
また、主反射板１は金属でも合成樹脂でもよく、また布、フィルム等の軟質の材料で形成され、折畳み可能に形成されていてもよい。
【００５４】
主反射板１が折畳み可能に形成されていると、装置を携行、搬送する場合に便利である。
【００５５】
更に、フード４やフィルタ６も、布、フィルム等の軟質の材料で形成され、折畳み可能に形成されていてもよい。
【００５６】
フード４やフィルタ６が折畳み可能に形成されていると、装置を携行、搬送する場合に便利である。
【００５７】
次に図２に従い第２の実施の形態について説明すると、この第２の実施の形態が図１に示す第１の実施の形態では、フィルタ６の内面（主反射板１と対向する面）に光反射手段としての金属薄膜７が接着もしくは蒸着されている。
【００５８】
この金属薄膜７は半透明で、その表面に照射された光線は一部が反射され残部は透過するものであり、この場合前記フィルタ６は透明であってもよい。
【００５９】
また、この第２の実施の形態では、主反射板１の中央部に開口が開設されており、当該開口には、前記発光球２が固着されている取付版１２が、前記開口を閉塞するように着脱可能に装着されている。
【００６０】
前記取付板１２が通気性の有する枠状のもので形成されている場合には、前記主反射板１に通風孔１１が開設されていなくとも通気性を有させることが可能となる。
【００６１】
更に、前記支持軸３と前記主反射板１との間には剛性の高い線材にて形成されたガード１３が固着されており、前記発光球２を交換する際には、前記発光球２と取付板１２を一体的に矢印方向に取り出して発光球２を交換すれば、発光球２の交換を容易に行うことができる。
【００６２】
なお、前記ガード１３は線材にて形成されているので、前記発光球２から放射される光線が妨げられることはない。
【００６３】
図３は上方から見た前記フード４とフィルタ６の斜視図である。
【００６４】
図４は更に他のフィルタ６の実施の形態を示すもので、下方から見た斜視図である。
【００６５】
この図４に示すフィルタ６は、外方に突出し中央に開口５が設けられた円錐台状を呈している。
【００６６】
このフィルタ６は、外方に突出した円錐台状を呈しているので、当該フィルタ６を透過した光線はより一層外方に散乱することになる。
【００６７】
次に、図５に示す実施の形態について説明する。
【００６８】
この実施の形態では、主反射板１、発光球２、支持軸３そしてフード４は前記実施の形態と異なるところはない。
【００６９】
本実施の形態の特徴は、前記主反射板１と対向する部位に副反射板８が備えられている点であって、当該副反射板８は保持腕１０によって前記支持軸３に固着されている。
【００７０】
前記副反射板８は、環状で外方に拡開する円錐台状を呈しており、３枚が積層され、各副反射板８はその直径が外部に向かって順次大径化している。
【００７１】
また、各副反射板８の間には光線が通過し得る空隙９が形成されている。
【００７２】
従って、本実施の形態では、発光球２から直接放射された光線もしくは主反射板１にて一次反射された光線は、副反射板８にて確実に再度反射され広範囲に照射されることになる。
【００７３】
また、各副反射板８の間に光線が通過し得る空隙９が設けられているので、発光球２から直接放射された光線もしくは主反射板１にて一次反射された光線は、一部が副反射板にて反射され、残部は前記空隙９を通過して直接外部に照射されることになる。
【００７４】
なお、前記副反射板８の反射面の、前記主反射板１に対する角度を変えることによって、当該副反射板８にて反射される光線はその照射範囲を変えることが可能となる。
【００７５】
図７に示す実施の形態では、副反射板８は、発光球１の周囲に沿って４数に分割されている。
【００７６】
本実施の形態では、副反射板８は、発光球１の周囲に沿って複数の部分に分割されているので、各分割部分の角度等を変えることにより、当該副反射板８にて反射される光線を様々な方向に変化させることができる。
【００７７】
また、副反射板８の各分割部分の間には空間９が存在するので、その空間を光線が通過し得る。
【００７８】
【発明の効果】
第１の発明では、発光球から放射された光線は、反射板で反射されもしくは直接フードに照射されるが、前記フードは半透明であるため、当該フードを通過した光線は散乱し軟調となって広範囲に照射されることになる。
【００７９】
従って、高価で破損し易いバルーンを使用することなく所望の軟質の光線を得ることができる。
【００８０】
第２の発明では、反射板にフードの一端縁が装着されているので、反射板とフードが一体的に構成されることになる。
従って、反射板とフードを一体的に取り扱うことができ作業性が向上する。
【００８１】
第３の発明では、開口が形成されている半透明のフィルタが装着されているので、発光球から放射された光線は、反射板で反射されもしくは直接フードに照射され、更に半透明のフィルタを透過するが、前記フィルタも半透明であるため、当該フィルタを透過した光線は散乱し、軟調となって広範囲に照射されることになる。
【００８２】
第４の発明では、フィルタの、発光球と対向する面に光反射手段が施されているので、当該フィルタの内面でも一部光線が反射し、発光球から放射された光線はより複雑に乱反射し散乱の程度が高まることになる。
【００８３】
第５の発明では、フードの他端縁にフィルタが装着されているので、フードとフィルタが一体となった構成となり、この場合にも作業性が向上する。
【００８４】
第６の発明では、フィルタの中央に開口が形成されているので、発光球の支持部材を前記開口内に挿入することが可能となり、各種の作業現場に適用することができる。
【００８５】
第７の発明では、フィルタは、外方に突出した円錐台状を呈しているので、当該フィルタを透過した光線はより一層外方に散乱することになる。
【００８６】
第８の発明では、フードは、反射板に着脱可能に装着されているので、必要に応じてフードを反射板に装着することが可能となり、現場や用途に応じて種々仕様変更をすることができる。
【００８７】
第９の発明はでは、フィルタは、フードに固着されているので、フィルタとフードを一体的に取り扱うことが可能となり、この場合も作業性が向上する。
【００８８】
第１０の発明では、フィルタは、フードに着脱可能に装着されているので、必要に応じてフィルタをフードに装着することが可能となり、現場や用途に応じて種々仕様変更をすることができる。
【００８９】
第１１の発明では、主反射板と対向する側に反射面が形成されている副反射板が設けられているので、発光球から放射された光線は直接もしくは主反射板にて一次反射され、その後副反射板にて再度反射され、より一層広範囲に照射されることになる。
【００９０】
第１２の発明では、副反射板は外方に拡開する円錐台状を呈しているので、当該副反射板にて反射された光線はより一層外方に拡散することになる。
【００９１】
第１３の発明では、副反射板は複数枚が積層されているので、光線は各副反射板にて複雑に反射され広範囲に照射されることになる。
【００９２】
第１４の発明では、複数枚の副反射板は夫々大きさが異なり、外部に向かって順次大型化するので、発光球から直接放射された光線もしくは主反射板にて一次反射された光線は、副反射板にて確実に再度反射され広範囲に照射されることになる。
【００９３】
第１５の発明では、各副反射板の間に光線が通過し得る空隙が設けられているので、発光球から直接放射された光線もしくは主反射板にて一次反射された光線は、一部が副反射板にて反射され残部は前記空隙を通過して直接外部に照射されることになる。
【００９４】
第１６の発明では、副反射板は、発光球の周囲に沿って複数の部分に分割されているので、各分割部分の角度等を変えることにより、当該副反射板にて反射される光線を様々な方向に変化させることができる。
【００９５】
第１７の発明では、反射板に空気が通過し得る通風孔が開設されているので、発光球が過熱しても、前記通風孔を通過する気流によって冷却される。
【００９６】
従って、発光球が異常に過熱して寿命を低下させたり、火災が発生することを防止することができる。
【００９７】
第１８の発明は、第１ないし第１７のいずれかの発明を前提とし、発光球は反射板の中央に着脱可能に装着されている取付板に固着され、前記発光球は前記取付板と共に前記反射板の背面側から着脱可能に装着されている照明装置である。
【００９８】
本発明では、発光球は反射板の中央に着脱可能に装着されている取付板に固着され、前記発光球は前記取付板と共に前記反射板の背面側から着脱可能に装着されているので、発光球の交換を反射板の背面側から行うことができる。
【００９９】
従って、発光球の交換を容易に迅速に行うことが可能となる。
【図面の簡単な説明】
【図１】本発明の第１の実施の形態の縦断面である。
【図２】本発明の第２の実施の形態の縦断面である。
【図３】本発明の第１の実施の形態のフードとフィルタの斜視図である。
【図４】本発明の図３とは異なる実施の形態のフードとフィルタの斜視図である。
【図５】本発明の第３の実施の形態の縦断面である。
【図６】本発明の第３の実施の形態の副反射板の平面図である。
【図７】本発明の第３の実施の形態の図６とは異なる副反射板の平面図である。
【符号の説明】
１  主反射板
２  発光球
３  支持軸
４  フード
５  開口
６  フィルタ
７  金属薄膜
８  副反射板
９  間隙
１０  保持腕
１１  通風孔
１２  取付板
１３  ガード
【図１】
2004342570.tif 000003
【図２】
2004342570.tif 000004
【図３】
2004342570.tif 000005
【図４】
2004342570.tif 000006
【図５】
2004342570.tif 000007
【図６】
2004342570.tif 000008
【図７】
2004342570.tif 000009